(57)【要約】【課題】  持ち運びに便利で何時でも何処でも容易に使用することができ、弾力性が均一で手のひらにフィットして感触も良く、さらにはマイナスイオンや遠赤外線による血行促進により脳の活性化とストレスの解消及び健康増進を効率的に高めることができると共に衛生面への配慮も成された、手のひら及び指のツボ刺激用健康器具を得る。【解決手段】  略長方形の平板状樹脂シートの一表面において、幅２ｍｍ，長さ５ｍｍ，高さ２ｍｍ程度の突起体を適度な間隔をもって多数形成し、該平板状樹脂シートの長手方向の両側面において、各指の関節または腹を当てるための凹部を形成して構成する。前記平板状樹脂シートは、弾力性及び可撓性を有した合成ゴムや合成樹脂とし、マイナスイオンや遠赤外線を発生させる材料として、トルマリン粉末や有機ゲルマニウム粉末等を配合し、さらには抗菌剤を配合する。【選択図】図１
0003150070.tif 000002
【実用新案登録請求の範囲】
【請求項１】
略長方形の平板状樹脂シートの一表面において、幅２ｍｍ，長さ５ｍｍ，高さ２ｍｍ程度の突起体を適度な間隔をもって多数形成し、該平板状樹脂シートの長手方向の両側面において、各指の関節または腹を当てるための凹部を形成して構成したことを特徴とする、手のひら及び指のツボ刺激用健康器具。
【請求項２】
上記平板状樹脂シートは、弾力性及び可撓性を有した合成ゴムや合成樹脂とし、マイナスイオンや遠赤外線を発生させる材料として、トルマリン粉末や有機ゲルマニウム粉末等を配合し、さらには抗菌剤を配合したことを特徴とする、請求項１に記載の手のひら及び指のツボ刺激用健康器具。
【考案の詳細な説明】
【技術分野】
【０００１】  本考案はマッサージによる健康器具に関し、特に手のひらや指のツボを刺激することにより、脳の活性化とストレスの解消及び健康増進を図ることができる、手のひら及び指のツボ刺激用健康器具に関するものである。
【背景技術】
【０００２】  従来、手のひらや指のツボを刺激する健康器具として、軟質または硬質の素材で形成された円筒状または球状の本体に、突起部を多数形成した立体状のものがある。該健康器具は、軟質のものであれば当該健康器具を握り続けることにより脳の活性化やストレスの解消を図る効果があるものとされ、硬質のものであれば当該健康器具を握り続けることにより健康増進を図る効果があるものとされている。【０００３】  上記のように、硬質と軟質の素材の違いにより同じ手のひらや指における健康器具であっても効果が異なることがある。前記二つの効果を得るためにはその都度二つの健康器具を用意する必要があるが至極不便であり、これを解消すべく例えば特開２００８−１２２３１号公報の「馬蹄形握り健康用具」にあっては、外形が馬蹄形で開いた口が窄められる厚さで弾力性のある馬蹄形筒状の握り具とし、握り具の外面を滑らかにしてその外面に突起や穴または磁気をつけた馬蹄形握り健康用具が提案されている。【０００４】  さらに、例えば特開２００２−７８７７３号公報の「手のひら及び指を刺激する器具」にあっては、可撓性シートの一面側に複数の突起を立設し、該可撓性シートの他面側の少なくとも一側端部側に前記可撓性シートの一面側に立設されている複数の突起への取り付け手段を設けた健康器具が提案されている。【０００５】
【特許文献１】特開２００８−１２２３１
【特許文献２】特開２００２−７８７７３
【考案の開示】
【考案が解決しようとする課題】
【０００６】  上記健康器具において、特開２００８−１２２３１号公報に記載のものは、外形が馬蹄形筒状であるため、持ち運びに不便で何時でも何処でも容易に使用することができるものではなく不便であるという問題点があった。また、特開２００２−７８７７３号公報に記載のものは、可撓性シートを丸めて面ファスナーにて円筒形に保持して使用するものであるが、前記可撓性シートと面ファスナーが重なる部分にあっては他の部分と弾力性や感触が異なって使い難いという問題点があった。【０００７】  また、何れの公報においても、マイナスイオンや遠赤外線を発生して血行を促し、脳の活性化とストレスの解消及び健康増進を効率的に高めることができないという問題点と、手のひら及び指に対する衛生面への配慮が成されていないという問題点があった。【０００８】  本考案は、以上のような問題点を解決するために成されたものであり、手のひらや指のツボを刺激することにより、脳の活性化とストレスの解消及び健康増進を図ることができる健康器具において、持ち運びに便利で何時でも何処でも容易に使用することができ、弾力性が均一で手のひらにフィットして感触も良く、さらにはマイナスイオンや遠赤外線による血行促進により脳の活性化とストレスの解消及び健康増進を効率的に高めることができると共に衛生面への配慮も成された、手のひら及び指のツボ刺激用健康器具を提供することを目的とする。
【課題を解決するための手段】
【０００９】  上記課題を解決するため本考案の手のひら及び指のツボ刺激用健康器具は、略長方形の平板状樹脂シートの一表面において、幅２ｍｍ，長さ５ｍｍ，高さ２ｍｍ程度の突起体を適度な間隔をもって多数形成し、該平板状樹脂シートの長手方向の両側面において、各指の関節または腹を当てるための凹部を形成して構成する。【００１０】  上記平板状樹脂シートは、弾力性及び可撓性を有した合成ゴムや合成樹脂とし、マイナスイオンや遠赤外線を発生させる材料として、トルマリン粉末や有機ゲルマニウム粉末等を配合し、さらには抗菌剤を配合する。
【考案の効果】
【００１１】  本考案の手のひら及び指のツボ刺激用健康器具によれば、通常時の形状が平板状樹脂シートであり、使用時においては前記平板状樹脂シートを丸めて馬蹄形にして握る形状のものであるため、持ち運びに便利で何時でも何処でも容易に使用することができるという効果を奏する。また、弾力性が均一であり、各指の関節または腹を当てるための凹部に前記各指の関節または腹を当てて握れば、手のひらにフィットして感触も良くなるという効果を奏する。さらには平板状樹脂シートに配合したトルマリン粉末や有機ゲルマニウム粉末等によりマイナスイオンや遠赤外線が発生され、血行が促されて脳の活性化とストレスの解消及び健康増進を効率的に高めることができるという効果を奏する。また、抗菌剤により手のひら及び指に付着した細菌等が滅菌されて衛生的であるという効果を奏する。
【考案を実施するための最良の形態】
【００１２】  本考案の手のひら及び指のツボ刺激用健康器具を実施するための最良の形態を図を用いて説明する。【００１３】  図１は本考案の手のひら及び指のツボ刺激用健康器具の概略外形図であり、（ａ）は平面図、（ｂ）は側面図、（ｃ）は（ａ）におけるＡ−Ａ断面図である。該図において本考案の手のひら及び指のツボ刺激用健康器具１は、略長方形の平板状樹脂シート２の一表面において、縦２ｍｍ，横５ｍｍ，高さ２ｍｍ程度の突起体３を適度な間隔をもって多数形成し、該平板状樹脂シート２の長手方向の両側面において、各指（親指，人差し指，中指，薬指及び小指）の関節または腹を当てるための凹部４を形成して構成する。なお、前記突起体３の寸法は一実施例であり多少の大きさの違いは本考案の範疇に含むものである。【００１４】  上記平板状樹脂シート２は、弾力性及び可撓性を有した合成ゴムや合成樹脂とし、マイナスイオンや遠赤外線を発生させる材料として、トルマリン粉末や有機ゲルマニウム粉末等を配合し、さらには抗菌剤を配合する。【００１５】  図１においては、平板状樹脂シート２の寸法として縦７ｃｍ，横１０ｃｍ，厚さ２ｍｍ程度であり、突起体３の数は縦１７個，横１２個を配列して形成しているが、前記平板状樹脂シート２の寸法や突起体３の縦，横の配列数はこれに限定することなく任意であって構わない。また、突起体３の配列方法も縦横の配列に限定することなく、斜め配列，同心円配列，円弧状配列、ランダム配列など任意であって構わない。【００１６】  上記突起体３は、手のひら及び指に当ててツボを刺激するためのものであり、該突起体３の角部を僅かに面取り加工しておけば、手のひらにフィットして感触も良くなり好適である。【００１７】  図２は本考案の手のひら及び指のツボ刺激用健康器具を手のひらで丸めて馬蹄形にした状態図であり、本考案の手のひら及び指のツボ刺激用健康器具１において突起体３が形成された面が手のひらに当たるように握った状態を示している。該状態において、前記手のひら及び指のツボ刺激用健康器具１の平板状樹脂シート２は、筒体部５と開口部６と形成した馬蹄形を成すことになる。【００１８】  このとき、例えば右手で手のひら及び指のツボ刺激用健康器具１を握った場合、筒体部５の上側にある凹部４ａに人差し指の関節または腹，凹部４ｂに中指の関節または腹，凹部４ｃに薬指の関節または腹及び凹部４ｄに小指の関節または腹を掛け、さらには筒体部５の下側にある凹部４ｅに親指の関節または腹を掛けるようにして握れば手のひらにフィットして感触も良く、開口部６を図中矢印のように窄めたり開けたりするように握り運動を繰り返すようにすれば、手のひら及び指のツボ刺激用健康器具１の突起体３が手のひら及び指のツボを刺激して、脳の活性化とストレスの解消及び健康増進を図ることができる。【００１９】  さらには、本考案の手のひら及び指のツボ刺激用健康器具１の平板状樹脂シート２及び突起体３にはトルマリン粉末や有機ゲルマニウム粉末等及び抗菌剤が配合され、使用時において手の温かみにより前記トルマリン粉末や有機ゲルマニウム粉末等からマイナスイオンや遠赤外線が発生されるため、血行が促されて上記脳の活性化とストレスの解消及び健康増進がさらに��率的に高めることができる。また、抗菌剤により手のひら及び指に付着した細菌等が滅菌されて衛生的である。【００２０】  使用後は、手のひら及び指のツボ刺激用健康器具１は元の平板状態に戻るため、ポケットやバッグ等に収納することができ、持ち運びに便利で何時でも何処でも容易に使用することができる。【００２１】  なお、上記マイナスイオンや遠赤外線を発生させる成分として、トルマリン粉末や有機ゲルマニウム粉末に限定せず、他の有効な成分を単独又は混合して配合しても構わない。【００２２】  また、平板状樹脂シート２にアロマセラピー効果のある香料を配合すれば、香りとの相乗効果によりさらなるストレスの解消と心身の安定を図ることもできて好適である。【００２３】  なお、図３は本考案の手のひら及び指のツボ刺激用健康器具の第一使用例を示した図であり、上述の図２の説明で示した握り方を示しており、この握り方は特に手のひらのツボ刺激に効果的である。また、図４は本考案の手のひら及び指のツボ刺激用健康器具の第二使用例を示した図であり、上述の図２の説明とは向きを反対にした握り方を示しており、この握り方は特に指のツボ刺激に効果的である。このように、握り方は各自の好みにより自由に使用できるものである。
【図面の簡単な説明】
【００２４】
【図１】本考案の手のひら及び指のツボ刺激用健康器具の概略外形図である。
【図２】本考案の手のひら及び指のツボ刺激用健康器具を手のひらで丸めて馬蹄形にした状態図である。
【図３】本考案の手のひら及び指のツボ刺激用健康器具の第一使用例を示した図である。
【図４】本考案の手のひら及び指のツボ刺激用健康器具の第二使用例を示した図である。
【符号の説明】
【００２５】  １  手のひら及び指のツボ刺激用健康器具
２  平板状樹脂シート
３  突起体
４  凹部
５  筒体部
６  開口部
７  手
８  指
【図１】
0003150070.tif 000003
【図２】
0003150070.tif 000004
【図３】
0003150070.tif 000005
【図４】
0003150070.tif 000006